(57)【要約】【課  題】フランジに差込むだけで、十分な保持力を有して取付けることができ、接着剤による固定を行う必要がないうえ、フランジとの間に良好な電磁波シール性及び水密性を持たせることができる電磁波シールド用のパッキンを提供する【解決手段】断面略Ｕ字形をなしてフランジ１６に差し込んで取付けられる取付部１２と、扉２を閉じたとき扉２に密着して扉２との間をシールする断面パンタグラフ状の中空シール部１２と、取付部１２に埋設されるワイヤーキャリアー型の芯金１７と、取付部１２の内側に対向して複数ずつ突設される爪状シール部１４、１５ａ、１５ｂ、１５ｃよりなり、芯金１７を除く全体が導電性ゴムにより一体成形され、取付部１２は埋設した芯金１７により剛性を有してフランジ１６への十分な保持力を有して取付けられ、取付部１２をフランジ１６に差し込んだとき、爪状シール部１５ｃの先端が爪状シール部１５ｂに乗りかかり一体化する【選択図】  図９
2004232289.tif 000002
【特許請求の範囲】
【請求項１】
遮蔽体開口部のフランジ１６及び若しくは遮蔽体開口部を開閉する扉等の周縁のフランジ１６に差込んで保持される断面略Ｕ字形の取付部１２と、該取付部１２と一体形成される中空状のシール部１３よりなる導電性ゴム製の電磁波シールド用のパッキンにおいて、取付部１２には断面Ｕ字形の芯金１７を埋設すると共に、内側にフランジ１６に押付けられて、該フランジ１６を両側より挟み込む爪状シール部１４、１５ａ、１５ｂ、１５ｃを突設したことを特徴とする電磁波シールド用のパッキン。
【請求項２】
上記芯金１７が、分断して伸縮可能としたブレークアウト型芯金であるか、或いはワイヤー９を一定幅の波形に折曲げて連結糸１０で連結したワイヤーキャリヤー型芯金であることを特徴とする請求項１記載の電磁波シールド用のパッキン。
【請求項３】
フランジ１６の片側に押し付けられる爪状シール部１４、１５ａ、１５ｂ、１５ｃが複数で、そのうちの少なくとも一つ１５ｃが取付部１２をフランジ１６に差込んだとき巻込まれて、その先端が隣の爪状シール部１５ｂに乗り上げるようにしたことを特徴とする請求項１又は２記載の電磁波シールド用のパッキン。
【請求項４】
中空状のシール部１３が断面パンタグラフ状をなすことを特徴とする請求項１〜３記載の電磁波シールド用のパッキン。
【発明の詳細な説明】
【０００１】
【発明が属する技術分野】
本発明は、シェルターとＢＴＳが一体の基地局装置であるＷ−ＣＤＭＡ方式の屋外基地局装置において、扉、戸、窓、蓋等（以下、単に「扉等」という）の周縁及び若しくは遮蔽体の扉等の開口部に取付けられる電磁波シールド用のパッキンに関する。
【０００２】
【従来技術】
図１は、電子機器が納められる電磁波遮蔽体１の一例を示すものであり、図２は、扉２等の開口部に取付けられる電磁波シールド用のパッキン３を例示するもので、このパッキン３は図示するように、遮蔽体フレーム４のフランジ部４ａに差込んで保持される断面コ字形の取付部３ａと、該取付部３ａと一体形成される円弧状のシール部３ｂとよりなって、カーボン、金属粉などの導電性物質を均一に混入させたシリコーンゴム、エチレン・プロピレン、ジエン三元共重合体ＥＰＤＭ等の導電性ゴムにより形成され、扉２等を閉じたとき、扉２等に密着して扉等との間の隙間から電磁波が扉等の内側或いは外側に漏出するのを防いでいる。
【０００３】
【発明が解決しようとする課題】
図２に示すパッキン３は、シール部３ｂが扉２等に密着することにより扉等との間の水密性は良好であるが、取付部３ａのフランジ４ａへの密着性が概して十分でないために、電磁波シールド性及び水密性が不十分となりがちであり、またフランジ４ａへの保持力が不十分で、パッキン３がフランジ４ａから外れるおそれがあることから、接着剤等を用いて固定する必要があった。
【０００４】
本発明は、フランジに差し込むだけで十分な保持力を有して取付けることができ、電磁波シールド性及び水密性に優れた電磁波シールド用のパッキンを提供することを目的とする。
【０００５】
【課題の解決手段】
請求項１に係わる発明は、遮蔽体開口部のフランジ及び若しくは遮蔽体開口部を開閉する扉等の周縁のフランジに差込んで保持される断面略Ｕ字形の取付部と、該取付部と一体形成される中空状のシール部よりなる導電性ゴム製の電磁波シールド用のパッキンにおいて、取付部には断面Ｕ字形の芯金を埋設すると共に、内側にフランジに押付けられて、該フランジを両側より挟み込む爪状シール部を突設したことを特徴とする。
【０００６】
本発明によると、取付部は埋設した芯金により剛性を有するため取付部をフランジに差し込んだとき、爪状シール部がフランジに押付けられて弾性変形し、フランジを両側より挟持してフランジに容易には外れないようにしっかりと取付けることができ、取付けも接着していないため取付作業性に優れ、取外しや取換えも容易である。またシールド性は静電シールドと磁気シールドに分類されるが、電磁シールドは、”水が漏らないように作る”が原則である。本発明のパッキンは、爪状シール部がフランジに密着することにより良好な電磁波シール性及び密着性を有する。
【０００７】
フランジに差込んで取付けられるパッキンの差込力や保持力は、芯金の剛性を変え、或いは取付部や爪状シール部の形状、厚み等を変えることにより調整することができる。
本発明で用いる導電性ゴムは、既知のもの、例えばカーボン、金属粉等の導電性物質を混入させたシリコーンゴム、ＥＰＤＭ等よりなるもので、体積抵抗率は、１０Ω・ｃｍ以下のものが望ましい。
【０００８】
芯金としては、例えば無垢の金属板や図３或いは図４に示すように魚骨状或いは井桁状にパンチングした金属板よりなる芯金、図５に示すように井桁状にパンチングした金属板の平行する一対の背骨部分５ａ、５ｂのうち、一方の背骨部分５ａに切込溝６を入れて分断可能とし、多少伸縮できるようにした片側をブレークアウト型とした芯金、図６に示すようにパンチングした金属板に形成される長孔７の両端の連結部に切込溝８を入れて分断可能とし、伸縮可能としたブレークアウト型の芯金、図７に示すように、ワイヤー９を一定幅の波状に折り曲げてナイロン、ポリエステル繊維糸や綿糸などの複数本の連結糸１０で長手方向に連結したワイヤーキャリヤー型の芯金等を例示することができ、この中では折り曲げ易く、扉等のコーナ部に取付け易い図５〜図７、とりわけ図７に示すワイヤーキャリヤー型の芯金が望ましい。
【０００９】
したがって請求項２に係わる発明は、請求項１に係わる発明の芯金が、分断して伸縮可能としたブレークアウト型芯金であるか、或いはワイヤーを一定幅の波形に折曲げて連結糸で連結したワイヤーキャリヤー型芯金であることを特徴とする。
【００１０】
請求項３に係わる発明は、請求項１又は２に係わる発明において、フランジの片側に押し付けられる爪状シール部が複数で、そのうちの少なくとも一つが取付部をフランジに巻込んだとき巻込まれて、その先端が隣の爪状シール部に乗り上げるようにしたことを特徴とする。
【００１１】
本発明によると、爪状シール部が個々にフランジに押付けられるよりも複数、一本化状態となってフランジに押付けられることにより強い保持力が得られ、シール性が増すようになる。
【００１２】
請求項４に係わる発明は、請求項１〜３に係わる発明において、中空状のシール部が断面パンタグラフ状をなすことを特徴とする。
本発明によると、遮蔽体開口部と蓋等との間の隙間にバラ付きがあってもバラ付きによく対応し、又シール幅も広くでき、上記隙間の良好な電磁波シール性及び水密性を維持することができる。
【００１３】
【発明の実施の形態】
図８は、本発明に係わるパッキンについて示すもので、フランジ１６に差し込んで取付けられる断面略コ字形の取付部１２と、該取付部１２の一側に突出形成され、扉２等を閉じたとき扉２等の周縁に密着してシールする断面略五角形のパンタグラフ状をなす中空シール部１３よりなって、カーボン、金属粉を均一に混入したＥＰＤＭ等の導電性ゴムにより一体成形され、取付部１２には、芯金１７、例えば図５及び図６に示すようなブレークアウト型芯金、図７に示すようなワイヤーキャリヤー型の芯金が埋設されると共に、内側に長短の爪状シール部１４及び１５ａ、１５ｂ、１５ｃが対向して複数ずつ突設され、爪状シール部１５ａ、１５ｂ、１５ｃは、図９に示すように取付部１２をフランジ１６に差し込んだとき、内側に巻き込まれ、このうち外側の爪状シール部１５ｃの先端が爪状シール部１５ｂに乗り上げてループ状をなし、爪状シール部１５ｂとの間で一体化状態の中空部を形成するようになっている。
【００１４】
【発明の効果】
請求項１記載の発明によると、取付部をフランジに差し込んで取付けたとき爪状シール部がフランジに押し付けられるが、取付部は芯金により剛性を有するため十分な保持力を維持することができ、接着剤等を用いて固定する必要がなく、抜き差しにより交換が可能であるばかりか、分解性が良好であり、再生材料として使用可能であるため、環境にやさしい。また爪状シール部が、フランジに押し付けられて密着することにより、取付部とフランジとの間に良好な電磁波シール性及び水密性を持たせることができる。
【００１５】
請求項２記載の発明によると、芯金が折り曲げ易いため遮蔽体開口部や扉等のコーナ部への追従性がよくなり、取付け易くなる。
請求項３記載の発明によると、フランジに差込んだとき、爪状シール部が巻き込まれて先端が隣の爪状シール部に乗りかかり、一体化状態となるためフランジへの保持力が増し、強いシール性を得ることができる。
【００１６】
請求項４に係わる発明によると、中空シール部は遮蔽体開口部と扉等との間の隙間のバラ付きに対する追従性が高く、シール幅を広くできる。
【図面の簡単な説明】
【図１】電磁波遮蔽体の斜視図。
【図２】フランジに取付けられる従来のパッキンの拡大断面図。
【図３】芯金の一態様を示す平面図。
【図４】芯金の別の態様を示す平面図。
【図５】図３に示す芯金の変形態様を示す平面図。
【図６】芯金の更に別の態様を示す平面図。
【図７】ワイヤーキャリヤー型芯金の平面図。
【図８】本発明に係わるパッキンの断面図。
【図９】遮蔽体のフランジに取付けた状態を示す図１のＡ−Ａ線での断面図。
【符号の説明】
１・・電磁波遮蔽体
２・・扉
３・・パッキン
３ａ、１２・・取付部
３ｂ、１３・・シール部
４・・遮蔽体フレーム
４ａ、１６・・フランジ
６、８・・切込溝
７・・長孔
９・・ワイヤー
１０・・連結糸
１４、１５ａ、１５ｂ、１５ｃ・・爪状シール部
１７・・芯金
【図１】
2004232289.tif 000003
【図２】
2004232289.tif 000004
【図３】
2004232289.tif 000005
【図４】
2004232289.tif 000006
【図５】
2004232289.tif 000007
【図６】
2004232289.tif 000008
【図７】
2004232289.tif 000009
【図８】
2004232289.tif 000010
【図９】
2004232289.tif 000011